(57)【要約】【課題】患者の心電図の測定結果をリアルタイムにかつ正確に送信することが可能な携帯型心電計を提供する。【解決手段】携帯型心電計１０は、心電図測定装置１１ａ、加速度測定装置１１ｂ、電源回路１２、電池１３、ＣＰＵ１６ｃ、ＲＯＭ１６ｂ、ＲＡＭ１６ａ、ロジック回路１６ｄ、信号入力用インターフェイス１７ａ、信号入力端子１８、通信装置１４、通信用インターフェイス１７ｂ、グランドプレーンＧＰ１，ＧＰ２およびケーシングＫを含む。通信装置１４および通信用インターフェイス部１７ｂはグランドプレーンＧＰ１により他の構成部と分離され、心電図測定装置１１ａはグランドプレーンＧＰ２により他の構成部と分離されている。通信装置１４および通信用インターフェイス部１７ｂと心電図測定装置１１ａとの間には２枚のグランドプレーンＧＰ１，ＧＰ２が介在している。【選択図】        図４
2004147994.tif 000002
【特許請求の範囲】
【請求項１】
積層回路基板と、
心電図を測定して心電図データを得る心電図測定装置と、
前記心電図測定装置により得られた心電図データをリアルタイムに無線送信する無線通信装置とを備え、
前記積層回路基板は、複数の回路基板と、前記複数の回路基板間に設けられた接地導体層とを含み、
前記心電図測定装置は、前記積層回路基板の一面側に配置され、前記無線通信装置は前記積層回路基板の他面側に配置されたことを特徴とする携帯型心電計。
【請求項２】
前記心電図測定装置、前記無線通信装置、および前記積層回路基板を収納するケーシングをさらに備えたことを特徴とする請求項１記載の携帯型心電計。
【請求項３】
前記心電図測定装置により得られた心電図データを記憶する第１の記憶手段をさらに備えたことを特徴とする請求項１または２記載の携帯型心電計。
【請求項４】
加速度を測定して加速度データを得る加速度計をさらに備え、
前記無線通信装置は、前記加速度計により得られた加速度データをリアルタイムに無線送信することを特徴とする請求項１〜３のいずれかに記載の携帯型心電計。
【請求項５】
前記加速度計により得られた加速度データを記憶する第２の記憶手段をさらに備えたことを特徴とする請求項４記載の携帯型心電計。
【請求項６】
前記無線通信装置は、所定の警報信号を受信し、
前記無線通信装置により受信される警報信号に応答して警報音を出力する警報音出力手段をさらに備えたことを特徴とする請求項１〜５のいずれかに記載の携帯型心電計。
【請求項７】
前記無線通信装置は、所定の警報信号を受信し、
前記無線通信装置により受信される警報信号に応答して警報表示を行う警報表示手段をさらに備えたことを特徴とする請求項１〜６のいずれかに記載の携帯型心電計。
【発明の詳細な説明】
【０００１】
【発明の属する技術分野】
本発明は、患者が携帯することにより心電図を測定可能な携帯型心電計に関する。
【０００２】
【従来の技術】
心臓疾患を有する患者が日常生活を送りながら心電図を測定するために、携帯型心電計が用いられる（例えば、特許文献１および２参照。）。この携帯型心電計は、患者の２４時間分の心電図を心電図データとしてメモリに保存する機能を有する。患者は心電図データが保存されたメモリを医師または看護士等の診断者に届け、診断者は届けられたメモリに保存された心電図データに基づいて診断を行う。また、近年においては、携帯電話を接続することによりメモリに保存された心電図データを電話回線を通して病院に伝送する機能を有する携帯型心電計も開発されている。
【０００３】
【特許文献１】
特開２０００−２７９３８５号公報
【特許文献２】
特開平１０−１６５３８５号公報
【０００４】
【発明が解決しようとする課題】
しかしながら、上記の携帯型心電計を用いて日常生活を送りながら心電図を測定する方法では、メモリに保存された心電図データに基づいて診断者が後日診断を行うため、診断者が患者の心電図をモニタしながら患者の体調が悪くなったときに即座に運動を中止させることができない。
【０００５】
本発明の目的は、患者の心電図の測定結果をリアルタイムにかつ正確に送信することが可能な携帯型心電計を提供することである。
【０００６】
【課題を解決するための手段および発明の効果】
本発明に係る携帯型心電計は、積層回路基板と、心電図を測定して心電図データを得る心電図測定装置と、心電図測定装置により得られた心電図データをリアルタイムに無線送信する無線通信装置とを備え、積層回路基板は、複数の回路基板と、複数の回路基板間に設けられた接地導体層とを含み、心電図測定装置は、積層回路基板の一面側に配置され、無線通信装置は積層回路基板の他面側に配置されたものである。
【０００７】
本発明に係る携帯型心電計においては、心電図測定装置により心電図が測定され、心電図データが得られる。また、心電図測定装置により得られた心電図データは無線通信装置によりリアルタイムに無線送信される。
【０００８】
本発明に係る携帯型心電計によれば、心電図測定装置は、複数の回路基板と、複数の回路基板間に設けられた接地導体層とを含む積層回路基板の一面側に配置され、無線通信装置は積層回路基板の他面側に配置されている。これにより、無線送信時において、心電図測定装置と無線通信装置との間が接地導体層により遮断され、無線通信装置から発生される電波が複数の回路基板間に設けられた接地導体層により心電図測定装置に到達することが阻止される。したがって、心電図測定装置は無線通信装置から発生される電波の影響を受けることなく人体に発生する微弱な電圧に基づく心電図を正確に測定することが可能となる。
【０００９】
また、本発明に係る携帯型心電計によれば、心電図測定装置により心電図を正確に測定しつつ、無線通信装置により心電図データをリアルタイムに無線送信できるので、心電図データを病院の診断者へ送信することにより、心電図データを受信した診断者は患者の心電図をリアルタイムにモニタすることができる。
【００１０】
本発明に係る携帯型心電計は、心電図測定装置、無線通信装置、および積層回路基板を収納するケーシングをさらに備えてもよい。この場合、心電図測定装置、無線通信装置、および積層回路基板はケーシングに収納される。これにより、ケーシング内部に無線通信装置と心電図測定装置とが一体的に内蔵されるため、小型化および携帯性の向上が図られる。
【００１１】
本発明に係る携帯型心電計は、心電図測定装置により得られた心電図データを記憶する第１の記憶手段をさらに備えてもよい。この場合、心電図測定装置により得られた心電図データは第１の記憶手段に記憶される。
【００１２】
これにより、心電図測定装置により得られる心電図データが正常に無線送信されない場合であっても、正確な心電図データが第１の記憶手段に記憶されているので、患者は心電図測定後に心電図データの記憶された第１の記憶手段を診断者に提出することで正確な診断が行われる。
【００１３】
本発明に係る携帯型心電計は、加速度を測定して加速度データを得る加速度計をさらに備え、無線通信装置は、加速度計により得られた加速度データをリアルタイムに無線送信してもよい。この場合、加速度計により加速度が測定され、加速度データが得られる。また、加速度計により得られた加速度データは無線通信装置によりリアルタイムに無線送信される。
【００１４】
これにより、無線通信装置により加速度データがリアルタイムに無線送信されるので、加速度データを受信する診断者は、患者の運動の状態をリアルタイムにモニタすることができる。
【００１５】
本発明に係る携帯型心電計は、加速度計により得られた加速度データを記憶する第２の記憶手段をさらに備えてもよい。この場合、加速度計により得られた加速度データは第２の記憶手段に記憶される。
【００１６】
これにより、加速度計により得られる加速度データが正常に無線送信されない場合であっても、正確な加速度データが第２の記憶手段に記憶されているので、患者は加速度測定後に加速度データの記憶された第２の記憶手段を診断者に提出することで正確な診断が行われる。
【００１７】
本発明に係る携帯型心電計において、無線通信装置は、所定の警報信号を受信し、無線通信装置により受信される警報信号に応答して警報音を出力する警報音出力手段をさらに備えてもよい。この場合において、診断者は心電図に基づいて患者の体調が悪いと診断した場合、無線通信装置に警報信号を送信する。そして、診断者からの所定の警報信号が無線通信装置に受信されると、警報音出力手段により警報音が出力される。このように、診断者は患者の体調が悪くなったときに携帯型心電計を通して即座に運動の中止を指示することができる。
【００１８】
本発明に係る携帯型心電計において、無線通信装置は、所定の警報信号を受信し、無線通信装置により受信される警報信号に応答して警報表示を行う警報表示手段をさらに備えてもよい。この場合において、診断者は心電図に基づいて患者の体調が悪いと診断した場合、無線通信装置に警報信号を送信する。そして、診断者からの所定の警報信号が無線通信装置に受信されると、警報表示手段により警報表示が行われる。これにより、診断者は患者の体調が悪くなったときに携帯型心電計を通して即座に運動の中止を指示することができる。
【００１９】
【発明の実施の形態】
以下、図１〜図１０に基づき本実施の形態に係る携帯型心電計について説明する。
【００２０】
図１は本実施の形態に係る携帯型心電計を用いた心電図モニタリングシステムの概念を示す模式図である。
【００２１】
図１に示すように、各患者Ｙは運動療法のための運動をする前に、携帯型心電計１０を身体に装着する。携帯型心電計１０は、後述するように心電図の測定機能、加速度の測定機能、データの保存機能およびデータの通信機能を有する。患者Ｙが運動を始めると携帯型心電計１０により患者Ｙの心電図および加速度が測定され、測定された心電図および加速度が心電図データおよび加速度データとして携帯型心電計１０内のＲＡＭ（ランダムアクセスメモリ）に保存されるとともに通信機能により公衆回線網３０を介して病院Ｈｏに送信される。
【００２２】
病院Ｈｏにおいて受信された複数の患者Ｙの心電図データおよび加速度データに基づいて、病院Ｈｏ内のコンピュータ（以下、院内コンピュータと呼ぶ）の画面上に患者Ｙの心電図および加速度が表示される。これにより、病院内の医師、看護士等の診断者は患者Ｙの心電図および加速度をリアルタイムにモニタしながら、診断を行い、患者Ｙの体調が悪くなったときに携帯型心電計１０を通して即座に運動の中止を指示することができる。
【００２３】
図２は本実施の形態に係る携帯型心電計を用いた心電図モニタリングシステムの構成を示すブロック図である。
【００２４】
図２に示すように、心電図モニタリングシステム１００は、携帯型心電計１０、無線基地局２０、公衆回線網３０、ＴＡ（ターミナルアダプタ）４０、院内コンピュータ５０および回線Ｌを含む。なお、回線Ｌは例えばＩＳＤＮ（統合デジタル通信網）回線である。
【００２５】
各患者Ｙの携帯型心電計１０により得られた心電図データおよび加速度データは、無線基地局２０に送信され、無線基地局２０から公衆回線網３０、回線ＬおよびＴＡ４０を介して院内コンピュータへ５０へと送信される。院内コンピュータ５０の画面には心電図データおよび加速度データに基づいて複数の患者Ｙの心電図および加速度がリアルタイムに表示される。
【００２６】
それにより、診断者は、院内コンピュータ５０の画面に表示された複数の患者の心電図および加速度をリアルタイムかつ集中的にモニタしながら診断を行う。いずれかの患者の体調が悪くなった場合には、診断者が院内コンピュータ５０を操作することにより警報信号をＴＡ４０、回線Ｌ、公衆回線網３０および無線基地局２０を介して患者の携帯型心電計１０に送信し、患者に運動を中止させることができる。
【００２７】
図３は本実施の形態に係る携帯型心電計の外観および人体への取付け方法を示す模式図である。
【００２８】
図３に示すように、携帯型心電計１０にはケーブル６０１が接続されており、ケーブル６０１の先端にはクランプ電極６０２が接続されている。携帯型心電計１０を人体７００へ取り付ける際には、まず人体７００にディスポ電極６０３を貼付する。ディスポ電極６０３には、端子６０３ａが設けてあり、その端子６０３ａをクランプ電極６０２によって挟み込む。これにより、人体７００の心筋の興奮過程における微弱な電位差（電圧）が、携帯型心電計１０により心電図として測定される。
【００２９】
図４は本実施の形態に係る携帯型心電計の構成の一例を示すブロック図である。なお、以下の説明において、心電図信号とは人体に貼付される図３のディスポ電極６０３から得られる微弱な電圧に基づいて後述の心電図測定装置が作成する心電図のアナログ信号を示し、加速度信号とは後述の加速度測定装置が測定する加速度のアナログ信号を示すものとする。また、心電図データとは心電図信号に基づいて作成されるデジタルデータを示し、加速度データとは加速度信号に基づいて作成されるデジタルデータを示す。
【００３０】
図４において、携帯型心電計１０は、心電図測定装置１１ａ、加速度測定装置１１ｂ、電源回路１２、電池１３、ＣＰＵ（中央演算処理装置）１６ｃ、ＲＯＭ（リードオンリメモリ）１６ｂ、ＲＡＭ１６ａ、ロジック回路１６ｄ、信号入力用インターフェイス１７ａ、信号入力端子１８、通信装置１４、通信用インターフェイス１７ｂ、ブザー１９ａ、ランプ１９ｂ、スイッチ１９ｃ、グランドプレーンＧＰ１，ＧＰ２およびケーシングＫを含む。
【００３１】
通信装置１４および通信用インターフェイス部１７ｂはグランドプレーンＧＰ１により他の構成部と分離され、心電図測定装置１１ａはグランドプレーンＧＰ２により他の構成部と分離されている。これにより、通信装置１４および通信用インターフェイス部１７ｂと心電図測定装置１１ａとの間には２枚のグランドプレーンＧＰ１，ＧＰ２が介在している。この構成の詳細については後述する。
【００３２】
通信用インターフェイス部１７ｂは、通信装置１４に接続されており、ＣＰＵ１６ｃと通信装置１４とを相互に接続する。通信装置１４は無線通信により図２の無線基地局２０に接続可能である。本実施の形態において、通信装置１４は、ＰＨＳ（パーソナル・ハンディフォン・システム：Ｐｅｒｓｏｎａｌ  Ｈａｎｄｙｐｈｏｎｅ  Ｓｙｓｔｅｍ）である。
【００３３】
ＲＯＭ１６ｂにはシステムプログラムが記憶される。ＲＡＭ１６ａには後述の心電図データおよび加速度データ等が記憶される。ＣＰＵ１６ｃはＲＯＭ１６ｂに記憶されたシステムプログラムをＲＡＭ１６ａ上で実行する。ロジック回路１６ｄは、アナログ−デジタル変換器およびリングバッファ等を含み、ＣＰＵ１６ｃにより動作が制御される。
【００３４】
電源回路１２は、電池１３と携帯型心電計１０内部の他の構成部とを接続し、電池１３の電力を各構成部に供給する。信号入力用インターフェイス部１７ａは、信号入力端子１８とＣＰＵ１６ｃ、ＲＡＭ１６ａおよびロジック回路１６ｄとを相互に接続する。
【００３５】
スイッチ１９ｃは、ＣＰＵ１６ｃに接続されており、使用者の操作に基づいて所定の指令信号をＣＰＵ１６ｃへ与える。ランプ１９ｂおよびブザー１９ａはＣＰＵ１６ｃに接続されており、ＣＰＵ１６ｃにより動作が制御される。
【００３６】
心電図測定装置１１ａは信号入力用インターフェイス１７ａを介して信号入力端子１８に接続されており、人体７００より検出される微弱な電圧に基づいて心電図信号を作成し、作成した心電図信号をロジック回路１６ｄ等に供給する。加速度測定装置１１ｂは、携帯型心電計１０本体の加速度を測定し、測定結果を加速度データとしてロジック回路１６ｄおよびＲＡＭ１６ａ等に供給する。なお、加速度測定装置１１ｂは、アナログ−デジタル変換器を内蔵する。
【００３７】
ケーシングＫは、携帯型心電計１０の構成部全体を覆っている。ここで、ケーシングＫ内部においては、上述のように２枚のグランドプレーンＧＰ１，ＧＰ２が存在する。これにより、ケーシングＫ内部は３つの空間に分けられている。
【００３８】
続いて、携帯型心電計１０の内部動作について説明する。携帯型心電計１０の使用時において、信号入力端子１８には図３のディスポ電極６０３、クランプ電極６０２およびケーブル６０１を介して人体７００の心筋の興奮過程における微弱な電圧が入力される。そして、信号入力端子１８に入力された微弱な電圧は、信号入力用インターフェイス部１７ａを通じて心電図測定装置１１ａに入力される。
【００３９】
心電図測定装置１１ａは、入力された微弱な電圧に基づく心電図信号をロジック回路１６ｄに供給する。ロジック回路１６ｄにおいては、内蔵されたアナログ−デジタル変換器により入力された心電図信号のアナログ−デジタル変換が行われ、心電図データが作成される。その後、作成された心電図データはＲＡＭ１６ａに送られる。
【００４０】
一方、加速度測定装置１１ｂにおいては、携帯型心電計１０本体の加速度が測定されている。加速度測定装置１１ｂは測定した加速度に基づきアナログ形式の加速度信号を作成する。そして、内蔵されたアナログデジタル変換器により入力された加速度信号のアナログ−デジタル変換が行われ、加速度データが作成される。その後、作成された加速度データはＲＡＭ１６ａに送られる。ＲＡＭ１６ａにおいては、入力される心電図データおよび加速度データの記憶動作が行われる。ＲＡＭ１６ａは、２４時間以上の心電図データおよび加速度データが記憶可能であることが望ましい。
【００４１】
また、心電図データおよび加速度データは、ＣＰＵ１６ｃの動作に基づきロジック回路１６ｄ内のリングバッファ、通信用インターフェイス部１７ｂおよび通信装置１４を介して図３の院内コンピュータ５０に送信される。
【００４２】
次に、図５〜図８に基づいて携帯型心電計１０の各構成部の配置および構造についての詳細を説明する。
【００４３】
図５は本実施の形態に係る携帯型心電計の内部構造の一例を示す模式的斜視図である。図６は図５の第１の多層回路基板に設けられる各種構成部の実装状態を示す模式図であり、図７は図５の第２の多層回路基板に設けられる各種構成部の実装状態を示す模式図である。また、図８は図５に示す携帯型心電計のＸ−Ｘ線断面図である。
【００４４】
図５および図６（ａ）によれば、第１の多層回路基板Ｐ１の上面側には通信装置１４および通信用インターフェイス部１７ｂが実装されている。また、図５および図６（ｂ）によれば、第１の多層回路基板Ｐ１の下面側にはＣＰＵ１６ｃ、ＲＯＭ１６ｂ、ＲＡＭ１６ａおよびロジック回路１６ｄが実装されている。ここで、第１の多層回路基板Ｐ１は、図６に示すようにガラスエポキシ樹脂等からなる回路基板層ＥＰの間に銅等からなるグランドプレーンＧＰ１を有する。なお、通信装置１４および他の各構成部の接地端子は、グランドプレーンＧＰ１に接続されている。
【００４５】
図５および図７（ａ）によれば、第２の多層回路基板Ｐ２の上面側には信号入力端子１８、加速度測定装置１１ｂおよび電源回路１２が実装されている。電源回路１２は第２の多層回路基板Ｐ２に設けられた切り欠き部に装填される電池１３に接続されている。また、図５および図７（ｂ）によれば、第２の多層回路基板Ｐ２の下面側には心電図測定装置１１ａが実装されている。ここで、第２の多層回路基板Ｐ２は、図７に示すようにガラスエポキシ樹脂等からなる回路基板層ＥＰの間に銅等からなるグランドプレーンＧＰ２を有する。なお、心電図測定装置１１ａ、加速度測定装置１１ｂおよび他の各構成部の接地端子は、グランドプレーンＧＰ２に接続されている。
【００４６】
図８に示される図５のＸ−Ｘ線断面図によれば、ケーシングＫ内部の空間は、第１の多層回路基板Ｐ１および第２の多層回路基板Ｐ２により上部空間、中央部空間および下部空間の３つの空間に分離されている。そして、心電図測定装置１１ａは、ケーシングＫ内部の下部空間に位置し、通信装置１４はケーシングＫ内部の上部空間に位置している。なお、上述のように第１の多層回路基板Ｐ１および第２の多層回路基板Ｐ２の内部には、それぞれグランドプレーンＧＰ１，ＧＰ２が介在している。
【００４７】
ところで、通信装置１４として用いられるＰＨＳは１．９ＧＨｚ帯の電波を出力約１０ｍＷで発生する。一方、心電図測定装置１１ａは、人体７００に発生する１〜１０ｍＶという微弱な電圧を測定する。したがって、心電図測定装置１１ａが、心電図測定時にＰＨＳより発生する電波を受けた場合、測定結果に高周波ノイズが発生し、正確な心電図を得ることができない。
【００４８】
本実施の形態に係る携帯型心電計１０においては、上述のように通信装置１４と心電図測定装置１１ａとの間に介在するグランドプレーンＧＰ１，ＧＰ２により通信装置１４と心電図測定装置１１ａとの間が遮断され、通信装置１４から発生される電波が心電図測定装置１１ａに到達することが阻止される。これにより、心電図測定装置１１ａは通信装置１４から発生される電波の影響を受けることなく人体７００に発生する微弱な電圧に基づく心電図を正確に測定することが可能となる。さらに、ケーシングＫ内部に通信装置１４と心電図測定装置１１ａとが一体的に内蔵されているため、小型化および携帯性の向上が図られている。本実施の形態に係る携帯型心電計１０の寸法は、例えば、長さ約９ｃｍ、幅約６ｃｍおよび厚さ約２．５ｃｍである。なお、携帯型心電計１０の寸法はこれに限定されず心電図測定装置１１ａが通信装置１４から発生される電波の影響を受けることなく心電図を正確に測定することが可能な範囲で、さらに小型化されることが望ましい。
【００４９】
本実施の形態に係る携帯型心電計１０によれば、心電図測定装置１１ａおよび加速度測定装置１１ｂにより、心電図および加速度を正確に測定しつつ通信装置１４により心電図データおよび加速度データをリアルタイムに図２の院内コンピュータ５０へ送信することが可能である。これにより、診断者は院外の患者の心電図および加速度をリアルタイムにモニタすることができる。
【００５０】
本実施の形態において、心電図測定装置１１ａと通信装置１４との間には２枚のグランドプレーンＧＰ１，ＧＰ２が介在しているが、通信装置１４により発生される電波が心電図測定装置１１ａに影響を与えることを防止できる構成であればこれに限定されず、１枚であってもよく、あるいは３枚以上であってもよい。例えば、１枚のグランドプレーンを含む１枚の多層回路基板の一面側に心電図測定装置１１ａを実装し、他面側に通信装置１４を実装してもよい。
【００５１】
さらに、本実施の形態において、ＲＡＭ１６ａには心電図データおよび加速度データが記憶される。これにより、患者は、心電図測定装置１１ａおよび加速度測定装置１１ｂにより得られる心電図データおよび加速度データが正常に無線送信されない場合であっても、正確な心電図データおよび加速度データがＲＡＭ１６ａに記憶されているので、心電図データおよび加速度データの記憶されたＲＡＭ１６ａを診断者に提出することで、心電図および加速度の測定後に正確な診断を受けることができる。
【００５２】
次に、図２の院内コンピュータ５０による心電図データおよび加速度データの処理内容について説明する。なお、以下の説明において、院内コンピュータ５０は、ＣＲＴ（陰極線管）、プラズマディスプレイまたは液晶ディスプレイ等からなり、心電図に関する各種情報を表示可能な表示器を備える。
【００５３】
上述のように、院内コンピュータ５０には携帯型心電計１０より心電図データおよび加速度データが入力される。院内コンピュータ５０は、入力された心電図データに基づいて以下のデータを作成する。
【００５４】
図９は、院内コンピュータが入力された心電図データに基づいて作成するデータの一例を示す模式図である。
【００５５】
図９（ａ）に示すように、院内コンピュータ５０は携帯型心電計１０より送られる心電図データに基づいて心電図波形データを作成する。図９（ａ）において、縦軸は人体７００に発生する微弱な電圧を示し、横軸は時間を示す。ここで、心電図波形データには、浮動的な周期で心室筋の興奮過程を示すＲ波が発生している。
【００５６】
院内コンピュータ５０は、作成した心電図波形データに基づいて、各Ｒ波毎に最大値を抽出する。図９（ａ）においては、各Ｒ波毎の最大電圧が最大値ｒとして抽出されている。また、院内コンピュータ５０は、隣接するＲ波の時間間隔αを各Ｒ波における最大電圧の測定時間の差から算出する。以下、隣接するＲ波の時間間隔αをＲ−Ｒ間隔と呼ぶ。なお、Ｒ−Ｒ間隔により被測定者の心拍数が算出される。
【００５７】
続いて、院内コンピュータ５０は、Ｒ−Ｒ間隔と時間との関係を脈動波形データとして作成する。図９（ｂ）にＲ−Ｒ間隔と時間との関係を示す脈動波形データの一例が示されている。
【００５８】
脈動波形データによれば、不整脈が発生しているか否か等の被測定者の心臓の動きがリアルタイムにモニタできる。さらに、脈動波形データにおいて、Ｒ−Ｒ間隔の上限値Ｍａおよび下限値Ｍｂを設定することで被測定者である患者の異常事態等がより容易に管理される。なお、上限値Ｍａおよび下限値Ｍｂは患者に応じて設定可能であることが好ましい。
【００５９】
また、院内コンピュータ５０は、脈動波形データに基づいて特定の測定時間におけるＲ−Ｒ間隔の平均値および標準偏差を算出してもよい。この場合、院内コンピュータ５０は、図９（ｂ）に示すように、診断者により任意に指定された測定時間範囲Ｚ１，Ｚ２に対しＲ−Ｒ間隔の平均値および全測定時間に対する標準偏差のデータを算出する。
【００６０】
図９（ｃ）に、図９（ｂ）により指定された測定時間範囲Ｚ１，Ｚ２におけるＲ−Ｒ間隔の平均値および全測定時間に対する標準偏差のデータの一例を示す。図９（ｃ）によれば、測定時間範囲Ｚ１におけるＲ−Ｒ間隔の平均値が棒グラフｈ１で示され、標準偏差が棒グラフｎ１で示されている。また、測定時間範囲Ｚ２におけるＲ−Ｒ間隔の平均値が棒グラフｈ２で示され、標準偏差が棒グラフｎ２で示されている。
【００６１】
さらに、院内コンピュータ５０は心電図データの処理動作とともに、入力される加速度データの記憶動作を行う。
【００６２】
本実施の形態に係る院内コンピュータ５０には、複数の患者毎に、予め、名前、年齢または疾患状況等の患者情報が記録されている。これにより、院内コンピュータ５０は、患者情報とともに、心電図波形データ、脈動波形データおよび加速度データを表示器に表示する。
【００６３】
以上に示す院内コンピュータ５０の動作は、図２の公衆回線網３０を通じて携帯型心電計１０より送られる心電図データおよび加速度データに対しリアルタイムに行われている。
【００６４】
ここで、本実施の形態に係る院内コンピュータ５０が表示する内容について説明する。
【００６５】
図１０は、院内コンピュータが診断者に提示する患者の心電図測定状況画面の一例を示す模式図である。図１０（ａ）に第１の表示画面Ｓｕ１を示し、図１０（ｂ）に第２の表示画面Ｓｕ２を示す。
【００６６】
図１０（ａ）によれば、第１の表示画面Ｓｕ１には、現在の被測定者である患者毎のウィンドウＷおよび画面切替ボタンｂ２が表示されている。また、ウィンドウＷの内部には、心電図波形ｖ１、心拍数ｖ２、患者情報ｖ３およびアラームボタンｂ１が表示されている。
【００６７】
図１０（ｂ）によれば、第２の表示画面Ｓｕ２には、現在の被測定者である患者毎にウィンドウＷおよび画面切替ボタンｂ２が表示されている。また、ウィンドウＷの内部には、脈動波形図ｖ４、現在の運動量ｖ５、Ｒ−Ｒ間隔の平均値ｖ６およびＲ−Ｒ間隔の標準偏差ｖ７およびアラームボタンｂ１が表示されている。
【００６８】
心電図波形ｖ１、心拍数ｖ２、患者情報ｖ３、脈動波形図ｖ４、現在の運動量ｖ５、Ｒ−Ｒ間隔の平均値ｖ６およびＲ−Ｒ間隔の標準偏差ｖ７の表示は、上述の心電図波形データ、脈動波形データおよび加速度データに基づいて行われる。
【００６９】
画面切替ボタンｂ２は、診断者が、表示器に表示される画面を第１の表示画面Ｓｕ１から第２の表示画面Ｓｕ２へ切り替える場合または第２の表示画面Ｓｕ２から第１の表示画面Ｓｕ１へ切り替える場合に用いられる。
【００７０】
アラームボタンｂ１は、診断者が第１の表示画面Ｓｕ１および第２の表示画面Ｓｕ２より得られる情報から「患者が危険または異常な状態にある」と判断した場合に用いられる。
【００７１】
例えば、診断者は「患者が危険または異常な状態にある」と判断した場合にアラームボタンｂ１をクリックする。これにより、図２の院内コンピュータ５０は対象患者の携帯型心電計１０に対し「ブザーオン」または「ランプ点灯」を指令する警報信号を送信する。これにより、携帯型心電計１０は患者に対しブザー１９ａまたはランプ１９ｂ等により異常事態を認識させることができる。
【００７２】
本実施の形態においては、第１の多層回路基板Ｐ１および第２の多層回路基板Ｐ２が積層回路基板に相当し、グランドプレーンＧＰ１，ＧＰ２が接地導体層に相当し、回路基板層ＥＰが回路基板に相当し、通信装置１４およびＰＨＳが無線通信装置に相当する。また、ブザー１９ａが警報音出力手段に相当し、ランプ１９ｂが警報表示手段に相当する。さらに、ＲＡＭ１６ａが第１の記憶手段および第２の記憶手段に相当する。
【図面の簡単な説明】
【図１】本実施の形態に係る携帯型心電計を用いた心電図モニタリングシステムの概念を示す模式図である。
【図２】本実施の形態に係る携帯型心電計を用いた心電図モニタリングシステムの構成を示すブロック図である。
【図３】本実施の形態に係る携帯型心電計の外観および人体への取付け方法を示す模式図である。
【図４】本実施の形態に係る携帯型心電計の構成の一例を示すブロック図である。
【図５】本実施の形態に係る携帯型心電計の内部構造の一例を示す模式的斜視図である。
【図６】図５の第１の多層回路基板に設けられる各種構成部の実装状態を示す模式図である。
【図７】図５の第２の多層回路基板に設けられる各種構成部の実装状態を示す模式図である。
【図８】図５に示す携帯型心電計のＸ−Ｘ線断面図である。
【図９】院内コンピュータが入力された心電図データに基づいて作成するデータの一例を示す模式図である。
【図１０】院内コンピュータが診断者に提示する患者の心電図測定状況画面の一例を示す模式図である。
【符号の説明】
１０  携帯型心電計
１１ａ  心電図測定装置
１１ｂ  加速度測定装置
１４  通信装置
１６ａ  ＲＡＭ
１９ａ  ブザー
１９ｂ  ランプ
ＧＰ１，ＧＰ２  グランドプレーン
ＥＰ  回路基板層
Ｋ  ケーシング
Ｐ１  第１の多層回路基板
Ｐ２  第２の多層回路基板
【図１】
2004147994.tif 000003
【図２】
2004147994.tif 000004
【図３】
2004147994.tif 000005
【図４】
2004147994.tif 000006
【図５】
2004147994.tif 000007
【図６】
2004147994.tif 000008
【図７】
2004147994.tif 000009
【図８】
2004147994.tif 000010
【図９】
2004147994.tif 000011
【図１０】
2004147994.tif 000012